(57)【要約】【課題】  販売者にとっては、売り場面積が限られている場合でも、売り場空間を利用して吊り下げ販売することができ、且つ、空いた平面上の売り場面積を有効活用することができる卵包装用容器であって、購買者にとっては、移動の途中で手軽に収容卵を食することができる卵包装用容器を提供すること。【解決手段】  合成樹脂製シート素材を膨出成形させて複数個の卵収容凹部Ｐが連続部１を介して一体的に且つ連続的に成形されている容器であって、該容器の一端に吊り下げ販売用のフック２が形成されている卵包装用容器とした。【選択図】        図１
2005096783.tif 000002
【特許請求の範囲】
【請求項１】
合成樹脂製シート素材を膨出成形させて複数個の卵収容凹部Ｐが連続部(1)を介して一体的に且つ連続的に成形されている容器であって、該容器の一端に吊り下げ販売用のフック(2)が形成されている卵包装用容器。
【請求項２】
個々の卵収容凹部Ｐに切断可能な切断部が連結部(1)に形成されている請求項１に記載の卵包装用容器。＜BR＞
【発明の詳細な説明】
【技術分野】
【０００１】
本発明は、主として駅の売店、コンビニ等で、生卵、ゆで卵、温泉卵、燻製卵等を収容して、販売するための卵包装用容器に関するものである。
【背景技術】
【０００２】
従来から卵包装用容器は多種類の容器が開発されてきているが、そのほとんどが、合成樹脂製シート素材を膨出成形させ、卵の下半部を覆う複数個の卵収容凹部と卵の上半部を覆う複数個の卵保護凹部とを一体的に成形した卵包装用容器であって、スーパー、デパート等の小売店で、平面上に載置・積載して販売するタイプの容器である。例えば、ゆで卵の容器に関しても同様に、合成樹脂製シート素材を膨出成形させ、ゆで卵の下半部を覆う複数個の収容凹部とゆで卵の上半部を覆う複数個の収容凹部と調味料袋収納凹部とを一体的に成形した容器であって、平面上に載置して販売するタイプの容器が公知である。
【特許文献１】実公昭６３−４０４７５
【特許文献２】特開昭４８−６２５７５
【発明の開示】
【発明が解決しようとする課題】
【０００３】
しかしながら、例えば、駅の売店で、移動の途中で手軽に食することができるゆで卵を販売するのに、上述の包装用容器の他に紙製の容器やネットで包んで販売する方法が用いられていたが、売店の売り場面積が限られているため、従来のようなゆで卵の包装形態で載置販売をするのは、多くの売り場面積を必要とし、非効率的であった。また、従来のようなゆで卵の包装形態は、包装用としての機能のみを想定したものであり、販売形態を想定したものではなかった。
【０００４】
そこで、本発明は、かかる実情に鑑み、販売者にとっては、売り場面積が限られている場合であっても、売り場空間を利用して吊り下げ販売することができ、且つ空いた平面上の売り場面積を有効活用することができる卵包装用容器であって、購買者にとっては、移動の途中で手軽に収容卵を食することができるような卵包装用容器を提供するものである。
【課題を解決するための手段】
【０００５】
この課題を解決するために講じた本発明にいう鶏卵包装用容器の構成を、実施例を示す図面に使用した共通の符号を用いて説明すると、本発明の卵包装用容器は、合成樹脂製シート素材を膨出成形させて複数個の卵収容凹部Ｐが連続部１を介して一体的に且つ連続的に成形されている容器であって、該容器の一端に吊り下げ販売用のフック２が形成されている卵包装用容器にかかるものである。
【発明の効果】
【０００６】
本発明の請求項１記載の卵包装用容器によれば、容器の一端に吊り下げ販売用のフックが形成されているという構成により、売り場面積が限られている場合であっても、平面上に載置することなく、売り場空間を有効利用して空間内に吊り下げて販売することができ、そしてその空いた売り場面積には他の商品を載置することで、種々多様な商品を陳列することができるという優れた効果を奏し得る。
【発明を実施するための最良の形態】
【０００７】
本発明を実施するにあたって、個々の卵収容凹部Ｐに切断可能な切断部が連続部１に形成されていることが好ましい。切断部の種類としては、切断線５や切断用の切り込み部６を形成すること等が考えられる。これにより、個々の卵収容凹部Ｐを容易に切り離すことができ、必要な分だけ卵収容凹部Ｐを切り離して使用し、残りを開封せずに保存しておくことができる。また、例えば、だし汁付の卵であっても、切り離した卵収容凹部Ｐにだし汁を入れて卵を食することができる等、切り離した卵収容凹部Ｐを卵を食するときの器代わりにすることができる。
【０００８】
また、複数の鶏卵収容凹部Ｐのうちの１つを塩、醤油、だし汁等の調味材包装袋やスプーン、フォーク、楊枝等を入れるための収容凹部としてもよい。あるいは、卵収容凹部Ｐとは別に塩、醤油、だし汁等の調味材包装袋やスプーン、フォーク、楊枝等を入れるための収容凹部Ｑを形成してもよい。これにより、収容された卵をおいしく且つ簡便に食することができる。
【０００９】
卵収容凹部Ｐの縦×横の配置数は、３×１、２×２、３×２等いずれであってもよいが、３×１、４×１等、一方向に連続的に成形されているのが好ましい。これにより、連続部１に個々の卵収容凹部Ｐに切断可能の切断部を形成した場合に、端の容器から順に容易に分離することができる。
【００１０】
卵収容凹部Ｐを成形するにあたっては、収容卵と面接触できるような滑らかな曲面部を有する構造とするのが好ましい。これにより、卵収容凹部Ｐに収容した卵、特に殻を除去した卵（例えばゆで卵等）の局所に過度の圧力がかかることを防止し、原形が崩れることなく安定した状態で卵を収容することができる。
【実施例】
【００１１】
以下、本発明の実施例を図示例と共に説明する。図１〜図３は本願発明の第１実施例のゆで卵の包装用容器であって、図１は斜視図、図２は使用状態を示すＡ−Ａ線断面図、図３は使用状態を示す斜視図を示す。
【００１２】
該第１実施例のゆで卵の包装用容器は、殻を除去したゆで卵が３個収容できる包装用容器であって、具体的には、図１に示したように、３個のゆで卵収容凹部Ｐを連続部１を介して一体的に且つ一方向に連続的に成形し、３つのゆで卵収容凹部Ｐが連続した容器の一端には吊り下げ販売するための鉤型のフック２が形成されている。また、個々のゆで卵収容凹部Ｐの開口平坦部には、開口部を取り囲むように凸条のリブ３が形成され、フィルム４でシールするときの接着面としての役割の他、個々のゆで卵収容凹部Ｐの開口平坦部を補強する役割を果たす。連続部１には、個々のゆで卵収容凹部Ｐに分離できるように、切断線５が入れられている。なお、該ゆで卵の包装用容器は、合成樹脂製シート素材のうち、廃材リサイクルが可能で、焼却処理の際の発熱量が少く、有害物質を発生させることがないという点でポリエチレンテレフタレート樹脂シートを用い、周知の膨出成形手段を用いて成形したものである。
【００１３】
ゆで卵収容凹部Ｐの凹部の形状は、図２に示したように断面視で、ゆで卵を収容したときにゆで卵の表面の曲面のうちおよそ半分の曲面がゆで卵収容凹部Ｐにほぼフィットするような滑らかな卵形の曲面としている。このように、殻を除去したゆで卵を面接触で容器に収容することにより、収容したゆで卵の局所に過度の圧力がかかることを防止し、原形が崩れることなく安定した状態でゆで卵を収容することができる。
【００１４】
使用にあたっては、３個のゆで卵収容凹部Ｐにゆで卵を収容して、ゆで卵収容凹部Ｐの開口平坦部に形成されたリブ３を主たる接着部として開口部を覆うようにフィルム４でシールをしている。そして、図３に示したように、フック２の部分で引っ掛けて吊り下げ販売を行う。消費者は購入後ゆで卵を食するときには、連続部１に形成された切断線に沿ってゆで卵収容凹部Ｐを切り離し、ゆで卵収容凹部Ｐを器として使用し、ゆで卵を食することができる。
【００１５】
図４は、本願発明第２実施例のゆで卵の包装用容器の斜視図であり、殻を除去したゆで卵が４個収容できる包装用容器であって、具体的には、４個のゆで卵収容凹部Ｐを第１実施例と同様に連続部１を介して一体的に且つ一方向に連続的に成形し、４個のゆで卵収容凹部Ｐが連続した容器の一端には、吊り下げ販売するために図示したような貫通穴を有するフック２が形成されている。なお、個々のゆで卵収容凹部Ｐの開口平坦部に形成された凸条のリブ３、連続部１に入れられた切断線５、ゆで卵収容凹部Ｐの凹部の形状、容器の製造方法は第１実施例と同様である。使用にあたっては、４つのゆで卵収容凹部Ｐにゆで卵を収容する他、３つのゆで卵収容凹部Ｐにゆで卵を収容し、残りの１つのゆで卵収容凹部Ｐを塩、醤油、だし汁等の調味材包装袋やスプーン、フォーク、楊枝等を入れるための収容凹部としてもよい。その他使用方法は第１実施例と同様である。
【００１６】
図５は、本願発明第３実施例の卵包装用容器の斜視図であり、卵を３個収容できる包装用容器であって、具体的には、第１、第２実施例と同様に、３個の卵収容凹部Ｐを連続部１を介して一体的に且つ一方向に連続的に成形し、３つの卵収容凹部Ｐが連続した容器の一端には吊り下げ販売するための鉤型のフック２が形成されている。鉤型のフック２には、吊り下げ販売したときに容器と収容卵の重さに耐えられるように、補強のためのリブ２１が形成されている。連続部１には、個々のゆで卵収容凹部Ｐに分離できるように、ミシン目状の切断線５が入れられている。
【００１７】
卵収容凹部Ｐの凹部の形状は、図６に示したように断面視で、卵収容凹部Ｐの底面の一部を底上げし、底上げした部分の面を、卵を収容したときに卵の表面の曲面とほぼフィットするように滑らかな曲面状として形成している。このように、卵を卵収容凹部Ｐの底上げした底面に面接触させることにより、収容した卵の局所に過度の圧力がかかることを防止し、安定した状態で卵を収容することができる。
【００１８】
また、該実施例の卵包装用容器は、卵収容凹部Ｐの底面の１部を平坦な面として残しているので、卵収容凹部Ｐを切り離した後に平面上に載置することができ、そのうえ、前述したように、卵収容凹部Ｐの底面の一部を底上げしたうえで、底面の底上げした部分の上面を滑らかな曲面状として形成しているので、卵収容凹部Ｐを平面上に載置しても、収容した卵が直接的に平面から衝撃を受けることはなく、安定した状態を保つことができる。その他、該実施例の卵包装用容器の製造方法、使用方法は第１実施例と同様である。
【００１９】
図７は、本願発明第４実施例の卵包装用容器の斜視図であり、卵を３個収容できる卵収容凹部Ｐとは別に塩、醤油、だし汁等の調味材包装袋やスプーン、フォーク、楊枝等を入れるための収容凹部Ｑを一体的に且つ連続的に成形している。また、３つの卵収容凹部Ｐに対して、一体的に且つ一方向に連続的に成形された収容凹部Ｑとは反対側に、吊り下げ販売するための円型の貫通穴を有するフック２が形成されている。その他、該実施例の卵包装用容器の製造方法、使用方法は第３実施例と同様である。
【００２０】
図８は、本願発明第５実施例の卵包装用容器の斜視図であり、卵を３個収容できる包装用容器であって、具体的には、容器本体７と蓋体８が折り曲げ部９を介して一体的に成形された卵包装用容器であって、卵収容凹部Ｐは閉蓋時に容器本体７と蓋体８により卵をおよそ半部ずつ覆うように形成される。そして、３個の卵収容凹部Ｐは連続部１を介して一体的に且つ一方向に連続的に成形され、３つの卵収容凹部Ｐが連続した容器の一端には吊り下げ販売するための鉤型のフック２が形成されているのは他の実施例と同様である。個々のゆで卵収容凹部Ｐを取り囲むように形成された凸条のリブ３は、容器本体７と蓋体８にそれぞれ形成され、閉蓋時に互いに嵌合するように形成されている。連続部１には切断用の切り込み部６とミシン目状の切断線５が入れられている。
【００２１】
以上本発明の代表例と思われる実施例について説明したが、本発明の鶏卵包装用容器は、上述の実施例にのみ限定されるものではなく、例えば、フック２の形状、形成場所、卵収容凹部Ｐの形状、個数、配置は任意であり、その他本発明にいう前記の構成要件を備え、かつ本発明にいう目的を達成し、本発明にいう効果を有する範囲内において適宜改変して実施することができるものである。
【産業上の利用可能性】
【００２２】
本発明の卵包装用容器は、従来の平面上に載置するタイプの卵包装用容器と異なり、空間に吊り下げて販売することができるという点において優れた発明であり、今後、駅の売店やコンビニ等でゆで卵の包装用容器として販売要請の高い発明である。
【図面の簡単な説明】
【００２３】
【図１】第１実施例の斜視図。
【図２】第１実施例の使用状態を示すＡ−Ａ線端面図。
【図３】第１実施例の使用状態を示す斜視図。
【図４】第２実施例の斜視図。
【図５】第３実施例の斜視図。
【図６】第３実施例の使用状態を示すＢ−Ｂ線端面図。
【図７】第４実施例の斜視図。
【図８】第５実施例の斜視図。
【符号の説明】
【００２４】
１  連続部
２  フック
２１  リブ
３  リブ
４  フィルム
５  切断線
６  切り込み部
７  容器本体
８  蓋体
９  折り曲げ部
Ｐ  卵収容凹部
Ｑ  収容凹部
【図１】
2005096783.tif 000003
【図２】
2005096783.tif 000004
【図３】
2005096783.tif 000005
【図４】
2005096783.tif 000006
【図５】
2005096783.tif 000007
【図６】
2005096783.tif 000008
【図７】
2005096783.tif 000009
【図８】
2005096783.tif 000010